(57)【要約】  照明装置は、光出射面と対向する第１反射部を備える筐体と、ＬＥＤが第１反射部に沿う方向である第１の方向に直線状に配列されているとともに、そのＬＥＤの配列が第１の方向と交差する第２の方向に複数段形成されている基板とを備え、第２の方向に複数段形成されているＬＥＤの配列において、中央の段のＬＥＤの数が、他の何れの段（上段及び下段）のＬＥＤの数よりも多い構成とする。
2013099718.tif 000002
【特許請求の範囲】
【請求項１】
光出射面と対向する第１反射部を備える筐体と、
発光ダイオードが前記第１反射部に沿う方向である第１の方向に直線状に配列されているとともに、その発光ダイオードの配列が第１の方向と交差する第２の方向に複数段形成されている基板とを備え、
前記第２の方向に複数段形成されている発光ダイオードの配列において、中央の段の発光ダイオードの数が、他の何れの段の発光ダイオードの数よりも多いことを特徴とする照明装置。
【請求項２】
前記筐体が円板部を有し、
複数の前記基板が前記筐体の中央付近に、前記筐体の外周に向かって発光するようにそれぞれ配設されることを特徴とする請求項１記載の照明装置。
【請求項３】
前記筐体が前記円板部の外周より突出した外壁部を有し、
前記外壁部の内側沿って第２反射部を備えることを特徴とする請求項２記載の照明装置。
【請求項４】
前記筐体が円板部を有し、
前記筐体が前記円板部の外周より突出した外壁部を有し、
前記外壁部の内側沿って前記基板が配設されることを特徴とする請求項１記載の照明装置。
【請求項５】
前記筐体が四角形の平板部を有し、
前記平板部の少なくとも一辺より突出した壁体に、前記基板が配設されることを特徴とする請求項１記載の照明装置。
【請求項６】
請求項５記載の照明装置を用いたバックライト。
【請求項７】
請求項６記載のバックライトを備えた液晶表示装置。
【請求項８】
請求項７記載の液晶表示装置を備えたテレビジョン受信装置。
【発明の詳細な説明】
【技術分野】
【０００１】
本発明は、発光ダイオード（ＬＥＤ）を光源とする照明装置、この照明装置を利用したバックライト、このバックライトを備えた液晶表示装置、この液晶表示装置を備えたテレビジョン受信装置に関する。
【背景技術】
【０００２】
近年、照明装置の光源としてＬＥＤが用いられることが多くなっている。ＬＥＤは、従来用いられてきた蛍光ランプ（冷陰極管等）に比べ、それ自体小型で長寿命、高い発光効率による低消費電力、水銀を使わない等、多くの優れた点を有している。【０００３】
この照明装置は、例えば、居室の天井に取り付けられ室内照明として利用されたり、液晶表示装置の背面に配置されバックライトとして利用されたりする。その際、ＬＥＤが点光源であることから光出射面から出射される光に輝度分布が形成され、輝度むらが発生しやすい。この輝度むらを抑制するため、光出射面と対向する面に反射部材を配置し、光出射面及び（又は）反射部材の表面に沿った方向に光を出射するようにＬＥＤを配置した照明装置が提案されている。また、ＬＥＤの光照射方向にコリメーターレンズを設けることで、輝度むらをさらに抑制する照明装置も提案されている（特許文献１参照）。
【先行技術文献】
【特許文献】
【０００４】
【特許文献１】特開２００９−９８９０号公報
【発明の概要】
【発明が解決しようとする課題】
【０００５】
しかしながら、特許文献１ではＬＥＤを縦横に均等に配置しているため、光出射面に近いＬＥＤ及び反射部材に近いＬＥＤからの出射光によってＬＥＤ近傍で光束密度が高くなり、ＬＥＤ近傍の光出射面の輝度が高くなり、輝度むらが発生するという問題がある。【０００６】
この輝度むらはＬＥＤを横方向に配置して縦方向に配置しなければ抑制できるが、その場合、配置スペースが小さくなるため高輝度なＬＥＤを少数配置することになる。しかしながら、高輝度なＬＥＤは高価であるのでコストアップの原因となる。【０００７】
本発明は、光源を縦横に配置し、かつ輝度むらを抑制する照明装置を提供することを目的とする。また、この照明装置を用いたバックライト、このバックライトを備えた液晶表示装置、この液晶表示装置を備えたテレビジョン受信装置を提供することも目的とする。
【課題を解決するための手段】
【０００８】
上記目的を達成するために本発明は、光出射面と対向する第１反射部を備える筐体と、発光ダイオードが前記第１反射部に沿う方向である第１の方向に直線状に配列されているとともに、その発光ダイオードの配列が第１の方向と交差する第２の方向に複数段形成されている基板とを備え、前記第２の方向に複数段形成されている発光ダイオードの配列において、中央の段の発光ダイオードの数が、他の何れの段の発光ダイオードの数よりも多いことを特徴とする。【０００９】
この構成によると、基板の中央の段からの光束密度が高く、他の段の光束密度はそれより低くなる。したがって、基板の近傍から出射される光の光束が高くなりすぎるのを抑制することができる。【００１０】
上記の照明装置において、前記筐体が円板部を有し、複数の前記基板が前記筐体の中央付近に、前記筐体の外周に向かって発光するようにそれぞれ配設されるようにしてもよい。さらに、前記筐体が前記円板部の外周より突出した外壁部を有し、前記外壁部の内側沿って第２反射部を備えてもよい。【００１１】
また上記の照明装置において、前記筐体が円板部を有し、前記筐体が前記円板部の外周より突出した外壁部を有し、前記外壁部の内側沿って前記基板が配設されるようにしてもよい。【００１２】
また上記の照明装置において、前記筐体が四角形の平板部を有し、前記平板部の少なくとも一辺より突出した壁体に、前記基板が配設されるようにしてもよい。【００１３】
また本発明のバックライトは上記の照明装置を用いたものである。また本発明の液晶表示装置はそのバックライトを備えたものである。また本発明のテレビジョン受信装置はその液晶表示装置を備えたものである。
【発明の効果】
【００１４】
本発明によると、照明装置において発光ダイオードの縦横の配置を工夫することで、基板の近傍から出射される光の光束が高くなりすぎるのを抑制でき、その結果、照明装置全体の輝度むらを抑制することができる。
【図面の簡単な説明】
【００１５】
【図１】第１の実施形態の照明装置の分解斜視図である。
【図２】図１の発光部を側面から見た図である。
【図３】図２の発光部を下方から見た図である。
【図４】光源部を取り付けた平板部を拡大した正面図である。
【図５】図４のＶ−Ｖ線で切断した断面図である。
【図６】比較例の照明装置から出射される光の輝度分布を示す図である。
【図７】第１の実施形態の照明装置から出射される光の輝度分布を示す図である。
【図８】図７のＷ−Ｗ線で切断した断面図である。
【図９】第２の実施形態の照明装置の部分断面図である。
【図１０】第３の実施形態の照明装置の部分断面図である。
【図１１】第４の実施形態の照明装置の部分断面図である。
【図１２】第４の実施形態の照明装置に用いられるシャーシの斜視図である。
【図１３】第５の実施形態の液晶表示装置の分解斜視図である。
【発明を実施するための形態】
【００１６】
（第１の実施形態）
図１は、本発明の一実施形態の照明装置の分解斜視図である。図１に示す照明装置Ａは、天井面に取り付けられるシーリングライトであり、図中上部が天井面に取り付けられる。なお、以下の説明において、上下方向の説明をする場合、別途記載した場合を除き、図１の状態での上下方向を基準として説明する、また、図１の状態のときの上下方向をＶ方向（バーティカル方向）、縦方向又は照明装置の厚さ方向として、横方向をＨ方向（ホリゾンタル方向）として説明する場合もある。
【００１７】
図１に示すように、照明装置Ａは、上から順にシャーシ１、駆動制御部２、発光部３及びカバー４を備えている。シャーシ１は、天井面に取り付けられる筐体であり、アルミニウムで形成された円板状の部材である。シャーシ１の中央部分の開口部には、天井面に備えられ、電力を供給する電源コネクタ（不図示）が貫通する。シャーシ１の天井面と対向する面と反対側の面（シャーシ１の内面）には、発光部３から出射された光を効率よく反射する反射面（反射部）が表面処理によって形成されている。なお、この表面処理としては、例えば、発泡ＰＥＴ（ポリエチレンテレフタレート）等の反射率の高いシートを貼り付ける方法や白色の塗料を塗布する方法を用いることができる。
【００１８】
駆動制御部２はシャーシ１の中央を囲むように取り付けられる。駆動制御部２は、発光部３に電力を供給する電源回路、点灯制御を行う制御回路等の回路を含む。駆動制御部２はシャーシ１への漏電を抑制するための絶縁シート２０と、電源回路、制御回路等が実装された回路基板２１と、回路基板２１を支持する支持部２２、２３を備えている。駆動制御部２は、天井面に備えられる電源コネクタ（不図示）と電気的に接続され、供給された電力を発光部３に対応した電力に変換する回路も備えている。
【００１９】
発光部３は、シャーシ１にねじ止めにて固定され、駆動制御部２は発光部３にねじ止めで固定される。シャーシ１に駆動制御部２及び発光部３が取り付けられた状態で、シャーシ１の駆動制御部２及び発光部３が取り付けられた側を囲むようにカバー４が取り付けられる。カバー４は、外周部分がシャーシ１に係合されるとともに、中央部分が発光部３にねじ止めされることで固定される。カバー４は、発光部３から出射された光が出光する出光面（光出射面）となっており、ＰＭＭＡ（ポリメタクリル酸メチル）などのアクリル樹脂、ポリスチレン、ポリカーボネイト等の透過率の高く、軽量な樹脂製であることが好ましい。また、カバー４は、出射する光が拡散するように、表面加工されていることが好ましい。
【００２０】
発光部３は、取付用アングル３１と、取付用アングル３１に固定され光源であるＬＥＤ３３（後述）が実装された基板３２と、基板３２を覆うように配置される集光部材５とを備えている。なお、ＬＥＤ３３が実装された基板３２と、集光部材５とで、光源部を構成していると言える。
【００２１】
図２は発光部３を側面から見た図であり、図３は発光部３を下方から見た図である。発光部３の取付用アングル３１は金属板を切り曲げて形成されている。図１、図３等に示すように、取付用アングル３１は、長方形状の平板部３１１と、平板部３１１の一方の長辺から延出した板状の固定部３１２と、平板部３１１の他方の長辺から平板部３１１に対し固定部３１２と反対側に延出した保持部３１３とを備えている。
【００２２】
取付用アングル３１では、隣り合う平板部３１１の短辺同士をつなぎ合わせて正八角形の筒状に形成されている。このように、平板部３１１を正八角形の筒状に接続したとき、固定部３１２は正八角形の外側に向けて延びており、保持部３１３は正八角形の内側に向けて延びている。また、照明装置Ａでは、正八角形の形態を示しているが、これに限定されるものではなく、平板状の基板を筒状に保持できる形状で、円形に近い形状（例えば、正６角形、正１２角形等）であってもよい。
【００２３】
また、図１に示しているように、取付用アングル３１は、平板部３１１が４個含まれるように、２つの部材に分割されている。そして、分割された部材は片方ずつ金属板のプレス加工で製造し、その後、接合することで正八角形状の筒状に形成される。なお、図１の照明装置Ａでは、取付用アングル３１を２個の部材に分割しているが、それに限定されるものではなく、３個以上に分割してもよいが、分割された部材が同形状となるような分割数（例えば、正八角形の場合、２個、４個、８個）が好ましい。なお、分割された部材を同形状とすることで、材料の金属板及びプレス加工用の金型の形状を統一することができ、製造コストを低減することができる。
【００２４】
また、図２、図３に示すように、基板３２は、取付用アングル３１の平板部３１１に、ＬＥＤ３３が正八角形の筒形状の外側となるように、そして、長手方向がＨ方向となるように取り付け固定される。
【００２５】
発光部３及びその取付部分についてさらに詳しく説明する。図４は光源部を取り付けた平板部３１１を拡大した正面図であり、図５は図４のＶ−Ｖ線で切断した断面図である。図４に示すように、取付用アングル３１の平板部３１１では、最も手前側に集光部材５が配置され、集光部材５が透明であることから、集光部材５の背面に配置される基板３２、ＬＥＤ３３も実線で示している。
【００２６】
図５に示すように、取付用アングル３１は、上側の固定部３１２がねじＢｔでシャーシ１に固定され、保持部３１３にねじＢｔでカバー４が取り付けられている。そして、平板部３１１には、正八角形の筒形状の内側に突出する切起部３１４が備えられており、切起部３１４に回路基板２１がねじＢｔで固定されている。
【００２７】
このような取付用アングル３１を備えた照明装置Ａでは、中央部分に回路基板２１が配置されるので、その中央部分は無発光部分となる。照明装置Ａでは無発光部分が小さいほうがよく、取付用アングル３１の正八角形の一辺が小さいほど、無発光部分が小さくなる。
【００２８】
図４に示すように、平板部３１１に取り付けられている長方形状の基板３２にはチップ状のＬＥＤ３３が実装されている。ＬＥＤ３３は、平面視正方形状の直方体のパッケージを有している。基板３２では、ＬＥＤ３３が長手方向（第１の方向）に直線状に配列されており、そして、そのＬＥＤ３３の直線状の配列が短手方向（第２の方向）に３段並んでいる。このように、ＬＥＤ３３を多段に配置することで、同じ数のＬＥＤ３３を配置するときに基板３２の長手方向の長さを短くできる。これにより、取付用アングル３１の正八角形の一辺の長さを小さくすることができ、照明装置Ａの無発光部分を小さくすることができる。なお、第１方向と第２方向とは必ずしも直交している必要はなく、交差していればよい。また、第１方向は反射部に沿う方向であればよい。
【００２９】
図４、図５に示すように、基板３２には、横方向（Ｈ方向）に並んだＬＥＤ３３の配列が、縦方向（Ｖ方向）に３段配置されている。図４に示しているように、各段のＬＥＤ３３はＨ方向に配置されている。各段のＬＥＤ３３は、略等間隔となるように配置されており、ＬＥＤ３３の個数は、中央の段が上段及び下段よりも多くなっている。例えば、１ｍｍ角のＬＥＤを中央の段では横方向に１ｍｍの間隔を空けて並べ、上段及び下段では横方向に２ｍｍの間隔を空けて並べ、各段は上下に１ｍｍの間隔を空けて並べた構成とすることができる。
【００３０】
通常ＬＥＤは、発光効率が同じ場合、発光面面積が多いほど、発光量が多くなる。つまり、ＬＥＤ３３が図４に示すような配列の場合、中央部分から出射される光が、その上段及び下段から出射される光よりも明るい。
【００３１】
このような、Ｈ方向に並んだＬＥＤ３３の配列をＶ方向に複数段備えている光源部から出射される光を、従来のコリメーターレンズで集光する場合、上段のＬＥＤ３３より出射して上部に向かう光から下段のＬＥＤ３３より出射して下部に向かう光まで、光のＶ方向の照射範囲が広い。
【００３２】
そして、ＬＥＤ３３は点光源で出射光は発散光（ランバーシアン配光）であり、ＬＥＤ３３より出射される光は、取付用アングル３１の近傍で光束密度が高くなる。基板３２に３段に配置されたＬＥＤ３３のうち、シャーシ１に近い段（上段）のＬＥＤ３３から出射されシャーシ１に照射される光の光束密度は他の段のＬＥＤ３３に比べ高い。そして、その高い光束密度の光は、シャーシ１で反射されカバー４より出射される。また、カバー４に近い段（下段）のＬＥＤ３３から出射され、カバー４の取付用アングル３１の近傍部分を透過する光の光束密度も高くなる。
【００３３】
このことから、Ｖ方向にシャーシ１及びカバー４に近い段のＬＥＤ３３の個数を中央の段より少なくすることで、換言すれば、中央の段のＬＥＤ３３の個数を上段及び下段より多くすることで、カバー４から出射される光のうち、取付用アングル３１の近傍から出射される光の光束が高くなりすぎるのを抑制することができる。このように基板３２のＶ方向の段によってＬＥＤ３３の配列数を変えることで、カバー４から出射される光の光束密度のばらつき（輝度むら）を抑制することができる。
【００３４】
ところで、光出射面であるカバー４に沿ってＬＥＤ３３から光を出射する構成の照明装置では、ＬＥＤ３３から所定の角度（例えば、中心軸に対して３０度）傾いた光がシャーシ１及び（又は）カバー４に到達した位置からＬＥＤ３３までの距離が長くなるほど、すなわち、平行光に近づくほど、光束密度の距離による変化が少なくなることが知られている。そのため、照明装置Ａでは、図５に示すような集光部材５を用い、ＬＥＤ３３から出射される光を集光し、遠くまで到達するようにしている。
【００３５】
図５に示すように、集光部材５は、基板３２に実装されたＬＥＤ３３と対向する対向面５０と反対側に形成され、ＬＥＤ３３から出射された光をＶ方向だけに集光する集光部５２が形成されている。基板３２では、Ｈ方向に並んだＬＥＤ３３はＶ方向に同軸或いは略同軸となるように配置されている。そのため、集光部５２は、Ｖ方向の各段のＬＥＤ３３の配列それぞれに対してコリメーター形状となっている。
【００３６】
集光部５２は、Ｖ方向に湾曲し、Ｈ方向に延びるレンズ形状（ここでは、コリメーターレンズ形状）を有している。集光部５２は、Ｖ方向に３段に並び、Ｈ方向に配列されたＬＥＤ３３の配列に対応しており、各段に配置されたＬＥＤ３３より出射される光をＶ方向に集光する形状になっている。なお、集光部５２の形状は、コリメーターレンズ形状に限定されるものではなく、ＬＥＤ３２のＶ方向に集光できる光学素子であればよく、例えば、シリンドリカルレンズを用いてもよい。また、各段の集光部５２それぞれ異なる形状であってもよいし、同じ形状であってもよい。
【００３７】
そして、図４、図５に示しているように、基板３２と集光部材５とは、ねじＳｃにて平板部３１１に共締めされて固定される。基板３２には、貫通孔が形成されており貫通孔を貫通して固定されている。また、集光部材５の基板３２と対向する面には、スペーサ５１が形成されており、スペーサ５１が基板３２と接触することで、集光部材５がＬＥＤ３３に接触するのを防いでいる。なお、図５では、集光部材５のスペーサ５１にねじＳｃが貫通しているがそれに限定されず、ねじＳｃは集光部材５のスペーサ５１以外の部分を貫通する構成であってもよい。
【００３８】
本発明の効果について、図面を参照して説明する。図６は比較例の照明装置から出射される光の輝度分布を示す図であり、図７は本発明の一実施形態の照明装置Ａから出射される光の輝度分布を示す図である。図８は図７のＷ−Ｗ線で切断した断面図である。
【００３９】
図６に示すように、比較例の照明装置は光源部の近傍で輝度が高く、照明装置の外周部分で輝度が低くなっている。一方、図７に示すように照明装置Ａは光源部から離れた部分でも輝度の低下があまり発生していない。つまり、照明装置Ａより出射される光は、比較例の照明装置から出射される光に比べて輝度むらの少ない光となっていることが分かる。
【００４０】
なお、上述の発光部３は本発明の一例であり、これに限定されるものではなく、Ｈ方向に並んだＬＥＤ３３の配列がＶ方向に４段以上である構造でも、各段に対応した集光部を備えた集光部材を用いることで、同等の効果が得られることは言うまでもない。このとき、第２の方向の中央の段は、総段数が奇数の場合は中央の１段を指すが、総段数が偶数の場合は中央の２段を指す。
【００４１】
（第２の実施形態）
図９は第２の実施形態の照明装置Ｂの部分断面図である。第１の実施形態の照明装置Ａと実質上同じ構成部分には同符号を付し、その詳細な説明を省略する。照明装置Ｂはシャーシ１０の形態が第１の実施形態の照明装置Ａと異なる。
【００４２】
シャーシ１０は、中央から外周に向かって徐々に内側に反った円形であり、いわゆるお盆型の形態である。このような形状のシャーシ１０を用いた照明装置Ｂにおいても、第１の実施形態の照明装置Ａと同様の効果を得ることができる。
【００４３】
（第３の実施形態）
図１０は第３の実施形態の照明装置Ｃの部分断面図である。第１の実施形態の照明装置Ａと実質上同じ構成部分には同符号を付し、その詳細な説明を省略する。照明装置Ｃはシャーシ１１の形態が第１の実施形態の照明装置Ａと異なる。
【００４４】
シャーシ１１は、シャーシ１と同形状の円板部１１１と、円板部１１１の外周からカバー４側に突出した外壁部１１２とを有している。そして、円板部１１１の内側に沿って第１反射部が、外壁部１１２の内側沿って第２反射部がそれぞれ表面処理によって形成されている。このような形状のシャーシ１１を用いた照明装置Ｃにおいても、第１の実施形態の照明装置Ａと同様の効果を得ることができる。
【００４５】
（第４の実施形態）
図１１は第４の実施形態の照明装置Ｄの部分断面図であり、図１２は照明装置Ｄに用いられるシャーシの斜視図である。第１の実施形態の照明装置Ａと実質上同じ構成部分には同符号を付し、その詳細な説明を省略する。照明装置Ｄはシャーシ１２の形態及び光源部の配置が第１の実施形態の照明装置Ａと異なる。
【００４６】
シャーシ１２は、円板状の円板部１２１と、円板部１２１の外周付近からカバー４側に突出した正八角形の外壁部１２２とを有している。そして、外壁部１２２の内側に沿ってＬＥＤ３３が実装された基板３２と集光部材５とで構成される光源部が配設されている。このような形状のシャーシ１１を用いた照明装置Ｃにおいても、第１の実施形態の照明装置Ａと同様の効果を得ることができる。
【００４７】
（第５の実施形態）
本発明の照明装置は光出射面より面状光を出射するものであることから、液晶表示装置のバックライトとしても利用可能である。
【００４８】
以下に本発明の照明装置を液晶表示装置のバックライトとして利用している例について、図面を参照して説明する。図１３は本発明の一実施形態の液晶表示装置の分解斜視図である。
【００４９】
図１３に示すように、液晶表示装置８は、液晶パネルユニット８１と、バックライトユニット８２とを備えている。液晶表示装置８は、バックライトユニット８２の前面側（観察者側）に液晶パネルユニット８１が配置され、液晶パネルユニット８１は前面側を中央部に開口窓８３０を備えた金属製のベゼル８３に押えられている。
【００５０】
液晶パネルユニット８１は、液晶が封入された液晶パネル８１１と、液晶パネル８１１の前面（観察者側）及び背面（バックライトユニット８２側）に貼り付けられた偏光板８１２とを有している。液晶パネル８１１は、アレイ基板８１３と、アレイ基板８１３と対向して配置された対向基板８１４と、アレイ基板８１３と対向基板８１４との間に充填される液晶とを含んでいる。
【００５１】
アレイ基板８１３には、互いに直交するソース配線及びゲート配線、ソース配線及びゲート配線に接続されたスイッチング素子（例えば、薄膜トランジスタ）、スイッチング素子に接続された画素電極及び配向膜等が設けられている。そして、対向基板８１４には、赤、緑、青（ＲＧＢ）の各着色部が所定の配列で配置されたカラーフィルタ、共通電極、配向膜等が設けられている。
【００５２】
液晶パネルユニット８１において、スイッチング素子が駆動されることで、液晶パネル８１１の各画素におけるアレイ基板８１３と対向基板８１４との間に電圧が印加される。アレイ基板８１３と対向基板８１４の間の電圧が変化することで、各画素での液晶が回転し、光が変調される（光の透過度合いが変更される）。これにより、液晶パネル８１１の観察者側の画像表示領域に画像を表示する。
【００５３】
ベゼル８３は、金属製の枠体であり、液晶パネルユニット８１の前面の辺縁部分を覆う形状を有している。ベゼル８３は、液晶パネルユニット８１の映像表示領域が隠れないように形成された矩形の開口窓８３０と、液晶パネルユニット８１を前面側から押える押え部８３１と、押え部８３１の辺縁部より背面側に突出し、液晶パネルユニット８１及びバックライトユニット８２の辺縁部を覆うカバー部８３２とを備えている。ベゼル８３は接地されており、液晶パネルユニット８１及びバックライトユニット８２をシールドしている。
【００５４】
バックライトユニット８２は、液晶パネルユニット８１に面状光を照射する照明装置である。バックライトユニット８２は、上述の第１の実施形態に示した照明装置と同等の構造を有している。すなわち、シャーシ１と対応する長方形状の底面を有するバックライトシャーシ８２１と、発光部３に対応する光源ユニット８２３とを有している。なお、バックライトユニット８２は長方形状の底面を有する部材であることから、短辺の両方に光源ユニット８２３が配置される。そして、図示は省略しているが制御回路部は底面の裏側の面に取り付けられている。バックライトユニット８２の光出射面側には出射光を拡散、輝度を上昇させる等のための光学シート部材８２２が配置されている。
【００５５】
光源ユニット８２３の構造は、直線状に基板を並べる構成である点を除き、実質上発光部３と同じ構造を有している。すなわち、図４に示すＬＥＤ３３が実装された基板３２及び集光部材５が複数個ずつ短辺に取付けられる。なお、バックライトユニット８２では、光源ユニット８２３がバックライトシャーシ８２１の外周部分に取り付けられるので、バックライトシャーシ８２１を長方形状の底面の各辺から切起こした側壁部（壁体）を形成することで、取付用アングルとして利用することができる。
【００５６】
このような、バックライトユニット８２では、導光板を用いなくても、底面と対向する光出射面より輝度むらの少ない面状光を出射することができ、それだけ、構成部材を減らすことが可能である。
【００５７】
本実施形態に示した液晶表示装置は、例えば、携帯電話機、タブレット型ＰＣ、家庭用電気製品の表示装置、テレビジョン受信装置等に採用することが可能である。
【００５８】
上述の各実施形態において照明装置として、シーリングランプや液晶表示装置のバックライトを挙げているが、これら以外にも、電飾看板等の背面から照明する背面型の照明装置としても利用することも可能である。
【００５９】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００６０】
本発明の照明装置は、輝度むらの少ない光を出射するので居室等の天井に取り付けられ、全体に光を照射する照明器具や液晶表示装置のバックライトとして利用することが可能である。
【符号の説明】
【００６１】
１  シャーシ（筐体）
３２  基板
３３  ＬＥＤ
１１１、１２１  円板部
１１２、１２２  外壁部
８  液晶表示装置
８２  バックライトユニット（バックライト）
【図１】
2013099718.tif 000003
【図２】
2013099718.tif 000004
【図３】
2013099718.tif 000005
【図４】
2013099718.tif 000006
【図５】
2013099718.tif 000007
【図１１】
2013099718.tif 000008
【図１２】
2013099718.tif 000009
【図１３】
2013099718.tif 000010
【図６】
2013099718.tif 000011
【図７】
2013099718.tif 000012
【図８】
2013099718.tif 000013
【図９】
2013099718.tif 000014
【図１０】
2013099718.tif 000015
【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
光出射面と対向する第１反射部を備える筐体と、
発光ダイオードが前記第１反射部に沿う方向である第１の方向に直線状に配列されているとともに、その発光ダイオードの配列が第１の方向と交差する第２の方向に３以上の複数段形成されている基板とを備え、
前記第２の方向に３以上の複数段形成されている発光ダイオードの配列において、中央の段の発光ダイオードの数が、他の何れの段の発光ダイオードの数よりも多いことを特徴とする照明装置。
【請求項２】
前記筐体が円板部を有し、
複数の前記基板が前記筐体の中央付近に、前記筐体の外周に向かって発光するようにそれぞれ配設されることを特徴とする請求項１記載の照明装置。
【請求項３】
前記筐体が前記円板部の外周より突出した外壁部を有し、
前記外壁部の内側沿って第２反射部を備えることを特徴とする請求項２記載の照明装置。
【請求項４】
前記筐体が円板部を有し、
前記筐体が前記円板部の外周より突出した外壁部を有し、
前記外壁部の内側沿って前記基板が配設されることを特徴とする請求項１記載の照明装置。
【請求項５】
前記筐体が四角形の平板部を有し、
前記平板部の少なくとも一辺より突出した壁体に、前記基板が配設されることを特徴とする請求項１記載の照明装置。
【請求項６】
請求項５記載の照明装置を用いたバックライト。
【請求項７】
請求項６記載のバックライトを備えた液晶表示装置。
【請求項８】
請求項７記載の液晶表示装置を備えたテレビジョン受信装置。
【手続補正２】
【補正対象書類名】明細書
【補正対象項目名】００４６
【補正方法】変更
【補正の内容】
【００４６】
シャーシ１２は、円板状の円板部１２１と、円板部１２１の外周付近からカバー４側に突出した正八角形の外壁部１２２とを有している。そして、外壁部１２２の内側に沿ってＬＥＤ３３が実装された基板３２と集光部材５とで構成される光源部が配設されている。このような形状のシャーシ１１を用いた照明装置Ｄにおいても、第１の実施形態の照明装置Ａと同様の効果を得ることができる。
【国際調査報告】
2013099718.tif 000016
2013099718.tif 000017
2013099718.tif 000018
2013099718.tif 000019